(57)【要約】【課題】大幅に縮小したテレビ体積で、携帯に便利で、空間を占有せず、多元化されるポケット型テレビ装置を提供する。【解決手段】ポケット型テレビ装置は、マイクロアンテナ、ディスプレイ、ビデオオーディオプロセッサ、チューナーからなり、テレビ体積をポケットほどの大きさに縮小し、且つ、電力システムも充電池を利用し、電源の制限を受けない。【選択図】図２
0003119229.tif 000002
【実用新案登録請求の範囲】
【請求項１】
ポケット型テレビ装置であって、
無線信号を受信すると共に、無線信号をビデオ信号とオーディオ信号に変換するチューナーに伝送する信号受信器と、
前記チューナーに連接され、ユーザーによる制御が可能で、制御信号を前記チューナーに発信するマイクロコントローラーと、
前記マイクロコントローラーに連接され、ビデオ信号を受信して処理し、処理後、ディスプレイに伝送して再生するビデオプロセッサと、
前記オーディオ信号を受信して処理し、処理後、少なくとも一つのスピーカーに伝送して再生するオーディオプロセッサと、
上述の素子を連接して、電力を提供して作動させる電源装置と、
からなることを特徴とするポケット型テレビ装置。
【請求項２】
前記チューナーは、前記マイクロコントローラーからの前記制御信号に応答して、テレビチャンネルを選択することを特徴とする請求項１に記載のポケット型テレビ装置。
【請求項３】
前記制御信号は、チャンネル選択信号とオーディオ調整信号を有することを特徴とする請求項２に記載のポケット型テレビ装置。
【請求項４】
前記信号受信器は、アンテナ装置であることを特徴とする請求項１に記載のポケット型テレビ装置。
【請求項５】
前記アンテナ装置は、内蔵型マイクロアンテナであることを特徴とする請求項４に記載のポケット型テレビ装置。
【請求項６】
前記アンテナ装置は、取り外し可能、或いは、ビルトインアンテナであることを特徴とする請求項４に記載のポケット型テレビ装置。
【請求項７】
前記オーディオプロセッサと前記スピーカー間に、更に、音声拡声器を設けることを特徴とする請求項１に記載のポケット型テレビ装置。
【請求項８】
前記オーディオプロセッサは、更に、オーディオ出力インターフェースを連接し、イヤフォンを接続することを特徴とする請求項１に記載のポケット型テレビ装置。
【請求項９】
前記オーディオ出力インターフェースは、フォーンジャックであることを特徴とする請求項８に記載のポケット型テレビ装置。
【請求項１０】
前記電源装置は、プラグ入力電源、或いは、少なくとも一つの電池入力電源であることを特徴とする請求項１に記載のポケット型テレビ装置。
【請求項１１】
前記電池は、充電池であることを特徴とする請求項１０に記載のポケット型テレビ装置。
【請求項１２】
前記電源装置は、更に、電源監視器を連接し、前記電源装置のエネルギー容量を監視することを特徴とする請求項１に記載のポケット型テレビ装置。
【請求項１３】
前記電源監視器は、監視信号を前記マイクロプロセッサに伝送し、前記ディスプレイ、或いは、スピーカーにより、使用者に注意を促すことを特徴とする請求項１２に記載のポケット型テレビ装置。
【請求項１４】
前記ディスプレイは、液晶ディスプレイであることを特徴とする請求項１に記載のポケット型テレビ装置。
【考案の詳細な説明】
【技術分野】
【０００１】
本考案は、テレビシステムに関するものであって、特に、携帯、操作に便利なテレビシステムに関するものである。
【背景技術】
【０００２】
科学技術の発展に伴い、ハイテクノロジー産業の発展も、テレビ、ディスプレイ等の産業に新しい生命を吹き込んでいる。近年は、薄型短小の趨勢にあり、ユーザーにとって、使用がますます便利になっている。
【０００３】
しかし、ブラウン管テレビ、プラズマテレビ、或いは、液晶テレビは、体積、電力、信号受信の要素から、室内、或いは、車両上にしか設置できないので、使用者は、固定地点でしかテレビを観賞できない。よって、メーカーは、台湾特許第２６２９４０号の「携帯型デジタルテレビ」のような、携帯型テレビを開発した。図１で示されるように、この携帯装置は、それぞれ、上部１０と下部１２の二つの空間からなり、ディスプレイ装置１４は、上部空間内に設置されている。下部１２は、デジタルテレビのコントローラー１６を容置し、上部１０と下部１２は、携帯可能な手提げ型に挟合される。しかし、この公知の携帯型テレビは、テレビの体積が大きく、携帯にはそれほど便利ではなく、携帯時には、手提げにするか、肩に掛けなければならない。また、携帯テレビは、使用時、上部を開かないと見られない。その上、使用者がテレビを見る時に占有する体積も、使用者の空間を浪費する。以上のような理由により、消費者には受け入れられない。
【考案の開示】
【考案が解決しようとする課題】
【０００４】
本考案は、大幅にテレビ体積を縮小させ、携帯に便利なポケット型テレビを提供することを目的とする。
【０００５】
本考案は、テレビ体積がポケット面積のように小さく、使用者は随時テレビ観賞が可能で、公知のテレビのように空間を占有せず、使用上、更に多元化されたポケット型テレビを提供することをもう一つの目的とする。
【課題を解決するための手段】
【０００６】
本考案によると、ポケット型テレビ装置は、信号受信器からなり、この信号受信器は、無線信号を受信すると共に、チューナーに伝送する。このチューナーは、無線信号をビデオ信号とオーディオ信号に変換し、且つ、マイクロコントローラーに連接され、マイクロコントローラーにより、ユーザーの制御が可能であり、制御信号をチューナーに発信する。マイクロコントローラーは、ビデオプロセッサに連接され、このビデオプロセッサは、ビデオ信号を受信して処理し、処理後、ディスプレイに伝送して再生する。オーディオ信号は、オーディオプロセッサに伝送されて処理され、処理後、少なくとも一つのスピーカーにより再生され、最後に、電源装置により、素子電力を提供して作動する。
【考案の効果】
【０００７】
本考案のポケット型テレビ装置は、無線テレビの体積を、ポケットに収容できるほどに縮小し、これにより、携帯が便利で、また、随時、どこでも使用が可能で、使用者の空間を無駄にしないという長所がある。
【考案を実施するための最良の形態】
【０００８】
本考案のシステムと構造は、図２、及び、図３で示されるように、ポケット型テレビ装置１８は、信号受信器２０からなり、信号受信器２０は、アンテナ装置である。アンテナ装置は、内蔵型マイクロアンテナ、或いは、取り外し可能なアンテナで、アンテナ装置が内蔵型マイクロアンテナである場合、テレビ内に内建され、アンテナ装置が取り外し可能なアンテナの場合、テレビの外殻上に外接される。信号受信器２０は、無線信号２２を受信すると共に、チューナー２４に伝送する。チューナー２４は、無線信号２２を、ビデオ信号、オーディオ信号に変換する。
【０００９】
チューナー２４は、マイクロプロセッサ２６を連接し、マイクロプロセッサ２６は、使用者により制御でき、制御時、制御信号をチューナー２４に発信する。この制御信号は、チャンネル選択信号とオーディオ調整信号を含み、チューナー２４は、このチャンネル選択信号かオーディオ調整信号を受信後、制御信号に基づいて、テレビのチャンネルを切り換えるか、音量を調整する。且つ、チューナー２４は、更に、ビデオプロセッサ２８、オーディオプロセッサ３０を連接し、ビデオプロセッサ２８は、ビデオ信号を受信して処理し、処理後、ディスプレイ３２に伝送して再生する。オーディオ信号３０は、オーディオ信号を受信し、処理後、少なくとも一つの音声拡声器３４に伝送されて、音質変換処理を施し、スピーカー３６により再生される。この他、音声拡声器３４は、オーディオ出力インターフェース３８に連接可能で、このオーディオ出力インターフェース３８は、フォーンジャック（phone  jack）で、イヤフォンを外接する。
【００１０】
最後に、テレビシステム１８は、電源装置４０を設置して、テレビシステム１８に電力を提供して作動させる。電源装置４０は、本実施例において、プラグ入力電源、及び、電池入力電源で、プラグ入力電源は、電源装置４０に、電源入力インターフェース４２を内設し、電源プラグを外接することができ、電池入力電源は、充電池を使用する。充電池は、プラグ入力電源により充電する。この他、電源装置４０は、更に、電源監視装置４４を連接して、電源装置４０のエネルギー容量を監視する。電源監視装置４４は、監視信号をマイクロコントローラー２６に伝送し、マイクロコントローラー２６は、ディスプレイ３２に電力状況を表示させるか、マイクロコントローラー２６は、スピーカー３６に、使用者に注意を促す音声を発出させる。
【００１１】
本考案のポケット型テレビ装置は、テレビの体積を、ポケットに収容できるほどに縮小し、これにより、携帯が便利で、また、体積が縮小することにより、使用者は、使用時の占有空間が減少し、随時、どこでも使用が可能で、公知のテレビが占有する空間と大幅に差があり、テレビシステムは使用上、更に、多元化する。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１３】
【図１】公知技術の立体図である。
【図２】本考案のシステムを示す図である。
【図３】本考案の立体図である。
【符号の説明】
【００１４】
１０…上部
１２…下部
１４…ディスプレイ装置
１６…コントローラー
１８…テレビシステム
２０…信号受信器
２２…無線信号
２４…チューナー
２６…マイクロコントローラー
２８…ビデオプロセッサ
３０…オーディオプロセッサ
３２…ディスプレイ
３４…音声拡声器
３６…スピーカー
３８…オーディオ出力インターフェース
４０…電源装置
４２…電源入力インターフェース
４４…電源監視装置
【図１】
0003119229.tif 000003
【図２】
0003119229.tif 000004
【図３】
0003119229.tif 000005